(57)【要約】  スクリーン１４と操作キー１８，２０，２２と少なくとも１つのコネクタ２４とを有するポータブルコンピュータ１２、のための保護ハウジング１０は、開状態から閉状態へ変化することができる。コンピュータ１２及びそれに蓄積されたデータを保護するために、保護ハウジング１０は、閉状態でロックでき、コンピュータの少なくとも１つの操作キー１８を隠すが、スクリーン１４は露出させる。
2014525101.tif 000002
【特許請求の範囲】
【請求項１】
スクリーン（１４）と操作キー（１８，２０，２２）と少なくとも１つのソケット（２４）とを有するポータブルコンピュータ（１２）、のための保護ハウジング（１０）であって、
開状態から閉状態へ変化するように構成されており、
閉状態でロック可能であり、前記コンピュータの少なくとも１つの前記操作キー（１８）を覆い、前記スクリーン（１４）を露出させるように、構成されている、
ことを特徴とする保護ハウジング。
【請求項２】
電気プラグコンタクト（４０）を備えており、
前記電気プラグコンタクト（４０）は、前記ハウジングの外からアクセス可能であり、前記コンピュータのソケット（２４）と接続されるように構成された電線（３８）を備えている、
請求項１記載の保護ハウジング。
【請求項３】
前記電線（３８）及び前記電気プラグコンタクト（４０）は、前記ハウジング（１０）が閉状態の時は前記ハウジング内に完全に含まれている、
請求項２記載の保護ハウジング。
【請求項４】
前記電線（３８）は、前記コンピュータへの電圧供給用に排他的に構成されており、データ回線を構成していない、
請求項３記載の保護ハウジング。
【請求項５】
機械的保護、熱防御、及び／又は湿気防止を、提供する、
請求項４記載の保護ハウジング。
【請求項６】
３部品構造を有しており、前記３部品構造が、
前記コンピュータ用のホルダー（３４）及び前記電線（３８）用のホルダー（３６）を備えた下部シェル（２８）と、
前記コンピュータ用の第１上部カバー（３０）と、
前記電線（３８）用の第２上部カバー（３２）と、
を備えている、
請求項２又は５に記載の保護ハウジング。
【請求項７】
前記第１上部カバー（３０）は、前記第２上部カバー（３２）が取り外された時のみ、取り外し可能であり、
前記第２上部カバー（３２）は、閉状態で、ラッチされ且つロックされるように、構成されている、
請求項６記載の保護ハウジング。
【請求項８】
２部品構造を有しており、前記２部品構造が、
前記コンピュータ用のホルダー（３４）及び前記電線（３８）用のホルダー（３６）を備えた下部シェル（２８）と、
前記コンピュータ用の上部カバー（３０）と、
を備えており、
前記下部シェル（２８）は、前記電線（３８）用の前記ホルダー（３６）を完全に覆い且つ前記下部シェル（２８）に固定して連結された、カバー（３２）を、備えている、
請求項２乃至５のいずれか一つに記載の保護ハウジング。
【請求項９】
スクリーンと、操作キーと、少なくとも１つのソケットと、請求項１乃至８のいずれか一つに記載の保護ハウジング（１０）と、を備えた、ポータブルコンピュータ（１２）であって、
基本設定を行うために設けられた主操作ボタン（１８）を有しており、
閉状態において、保護ハウジング（１０）は、前記主操作ボタンの操作が阻まれるように前記主操作ボタン（１８）を覆っている、
ことを特徴とするポータブルコンピュータ。
【請求項１０】
閉状態において前記保護ハウジングによって覆われたオンオフスイッチ（２０）を、有している、
請求項９記載のポータブルコンピュータ。
【請求項１１】
前記スクリーン（１４）は、前記保護ハウジング（１０）の閉状態において操作できるタッチスクリーンである、
請求項９又は１０に記載のポータブルコンピュータ。
【請求項１２】
ヘッドホンコネクタ（２６）を有しており、
前記保護ハウジング（１０）の閉状態において外からアクセス可能なボリュームコントロール（２２）を、好ましくは有している、
請求項９乃至１１のいずれか一つに記載にポータブルコンピュータ。
【発明の詳細な説明】
【技術分野】
【０００１】
本発明は、例えばタッチスクリーンを備えたタブレットコンピュータのようなポータブルコンピュータ、のための保護ハウジングに関する。
【背景技術】
【０００２】
泊まったり例えば飛行機で移動したりする人に、ポータブルコンピュータを貸し出すことが、望まれている。ポータブルコンピュータとしては、好ましくは、例えばｉＰａｄのような、タッチスクリーンを備えたタブレットコンピュータの形式が、好ましい。これにより、飛行機での旅行中、乗客は、この貸し出しコンピュータを用いて、搭載されている娯楽ネットワークにアクセスでき、中央ネットワークサーバーに蓄積されている映画を見ることができる。貸し出しコンピュータは、ネットワークサーバーとの無線リンクを、例えばＷＬＡＮで、維持できる。別の方法としては、再生される映画や音楽を、貸し出しコンピュータに蓄積し、そこから読み出すようにすることが、考えられる。
【発明の概要】
【発明が解決しようとする課題】
【０００３】
貸し出しコンピュータの基本設定へのアクセス、及び、貸し出しコンピュータに蓄積された映画及び音楽のデータへのアクセスは、阻まれる必要がある。また、コンピュータへのダメージのリスクは、回避される必要がある。
【課題を解決するための手段】
【０００４】
本発明の保護ハウジングは、請求項１に規定されている。請求項９は、ポータブルコンピュータと本発明の保護ハウジングとの組み合わせを規定している。
【０００５】
保護ハウジングは、開状態から閉状態へ変化するように構成されており、また、閉状態でロックされるように構成されている。閉状態において、ハウジングは、コンピュータの少なくとも１つの操作キーを覆い、且つ、コンピュータのスクリーンを露出させている。覆われた操作キーは、コンピュータの基本設定を行うのに使用する主操作キーである。この操作キーが覆われているという事実により、この操作キーへのアクセス、したがって、コンピュータの基本設定へのアクセスが、阻まれる。しかるに、映画及びその他のデータは、露出したスクリーンに視覚的に表示される。使用者は、ポータブルコンピュータを使用して、映画やテキストのような情報をスクリーンで見ることができるが、コンピュータの操作性、特に基本設定の更新性は、制限される。
【０００６】
好ましくは、保護ハウジングは、電気プラグコンタクトを備えており、それは、ハウジングの外からアクセス可能であり、且つ、コンピュータのソケットと接続するよう構成された電線を備えている。保護ハウジングの閉状態では、コンピュータのソケットは、保護されているが、それでも、電気プラグコンタクト及び電線を介して、外からアクセス可能である。ここでは、ハウジングの閉状態では、電線及びプラグコンタクトは、好ましくは、ハウジングの中に完全に含まれており、その結果、電線及び／又はプラグコンタクトへの機械的ダメージのリスクは、回避される。
【０００７】
電線が、コンピュータへの電圧供給用に排他的に構成されており、且つ、データ伝送を可能としない場合は、特に有益である。ｉＰａｄのようなポータブルコンピュータでは、例えば、電気ソケットは、一般的には、コンピュータへの電圧供給用に、及び、データインターフェースとしてデータの伝送用に、構成されている。ハウジングが閉じている場合、使用者は、コンピュータからデータをダウンロードできない状態で、又は、コンピュータにデータを転送できない状態で、コンピュータへ電圧を提供できる。好ましくは、ＵＳＢポートのような、コンピュータの全てのデータインターフェースは、例えば、保護ハウジングの閉状態においてアクセス不可能であり、又は、少なくともデータ伝送に利用不可能である。このように、データは、使用者によって盗まれたり操作されたりするリスクを冒さずに、貸し出しコンピュータに蓄積でき、使用者に対して利用可能にできる。
【０００８】
更に、保護ハウジングが閉状態でコンピュータのオンオフスイッチを覆うことが、考えられる。好ましくは、ヘッドホンコネクタ、スピーカー、及び、場合によりボリュームコントロールは、閉状態では覆われず、使用者に対して自由にアクセス可能である。
【０００９】
保護ハウジングは、機械的保護、熱防御、及び／又は湿気防止を、提供できる。
【００１０】
好ましくは、保護ハウジングは、下部シェルと２つの上部カバーとを有する３部品構造を、有している。下部シェルは、コンピュータ用の第１ホルダーと、電線用の第２ホルダーと、を有している。第１上部カバーは、下部シェル用のカバーを形成しており、下部シェルと連結してコンピュータを覆うことができる。第２上部カバーも、下部シェル用のカバーを形成しており、下部シェルと連結してケーブルホルダーを閉じることができる。好ましくは、第１上部カバーは、第２上部カバーが取り外された時のみに、取り外すことができ、第２上部カバーは、底シェルにラッチされ、且つ、ラッチ状態でロックされるように構成されている。保護ハウジングを開くには、第１上部カバーを取り外してコンピュータへのアクセスを可能にする前に、まず第２上部カバーを取り外して、電線へのアクセスを可能にする。
【図面の簡単な説明】
【００１１】
【図１】本発明の保護ハウジングの第１実施形態及びポータブルコンピュータの分解図である。
【図２】閉状態における図１の保護ハウジングの斜視上面図である。
【図３】閉状態における図１の保護ハウジングの斜視底面図である。
【図４】図２の保護ハウジングの第１側面図である。
【図５】図２の保護ハウジングの第２側面図である。
【図６】保護ハウジングの第３側面図である。
【図７】第２実施形態の下部シェルの上面図である。
【図８】第２実施形態の上部カバーの上面図である。
【発明を実施するための形態】
【００１２】
以下、図を参照しながら本発明の２つの実施形態を詳細に説明する。
【００１３】
保護ハウジング１０は、図１に示されるｉＰａｄや他のタブレットコンピュータの形式のポータブルコンピュータ１２を、収容するよう機能する。コンピュータ１２は、タッチセンサー式のタッチスクリーンの形式のスクリーン１４と、ハウジング１６と、を備えている。コンピュータハウジング１６は、コンピュータを操作するための操作キー１８、２０、２２を、備えている。ここでは、操作キー１８は、コンピュータ設定を行ったり変更したりできるメニューへのアクセスを可能にする、主操作ボタンである。操作キー２０は、オンオフスイッチである。操作キー２２は、ボリュームコントロールである。コンピュータハウジングは、更に、電圧供給及びデータ伝送のためのＵＳＢ規格に準拠して構成されたソケット２４を、備えている。更に、ヘッドホンコネクタ２６が設けられている。
【００１４】
保護ハウジング１０は、下部シェル２８と第１上部カバー３０と第２上部カバー３２とによって、形成されている。下部シェル２８は、コンピュータ用のホルダー３４と電線３８用のホルダー３６とを、備えている。
【００１５】
ホルダー３４の領域において、下部シェル２８は、コンピュータ１２の背部ハウジング１６の形に正確にフィットするように、形成されている。コンピュータ１２は、ホルダー３４内に置かれると、下部シェル２８中に完全に且つぴったりと受け入れられる。コンピュータ１２は、ねじ接続を用いて下部シェル２８にねじ止めできる。コンピュータ１２がホルダー３４内に収容された状態の時、第１上部カバー３０は、コンピュータ用のホルダー３４がスクリーン１４の領域を除いて第１上部カバー３０によって完全に覆われるように、下部シェル２８上にセットでき、下部シェル２８に取り付けることができる。それでもなお、電線３８用のホルダー３６は、その時、自由にアクセス可能である。電線のホルダー３６を閉じるには、第２上部カバー３２が、下部シェル２８上にセットされ、プラグインコネクタを介して、第１上部カバー３０と下部シェル２８とに接続される。電線のカバー３２は、ロック状態の時、第１上部カバー３０も解除しないように、ロック可能であり且つ取り外し不可能である。例えば、コンピュータが乗客に貸し出された後は、電線のカバー３２と下部シェル２８とのロック状態を開くためのキーは、乗務員によって保持される。
【００１６】
電線３８は、下部シェル２８に着脱自在に取り付けられた電気プラグコンタクト４０を、備えている。プラグコンタクト４０は、下部シェル２８に取り付けられると、保護ハウジング１０の凹部４２内に露出し、それ故、保護ハウジング１０の外から自由にアクセス可能である。プラグコンタクト４０の反対側の、電線３８の端部は、コンピュータ１２のプラグソケット２４と接続するためのコンタクトソケット５６を、備えている。電線３８は、コンピュータ１２への電圧供給を排他的に可能とし、データ伝送は阻む。したがって、電線３８及びプラグコンタクト４０を用いたコンピュータ１２への電圧供給を確立することが、単に可能であり、電子データを、コンピュータ１２からダウンロードしたり、外からコンピュータ１２に伝送したりすることは、できない。コンピュータ１２に蓄積されたデータは、電気プラグコンタクト４０を用いてアクセスできない。
【００１７】
同様に、図２乃至６に示された、保護ハウジング１０の閉状態において、オンオフスイッチ２０、ボリュームコントロール２２、及びヘッドホンコネクタ２６は、それぞれ、保護ハウジング１０の凹部を介して露出しており、それ故、外から自由にアクセス可能である。操作のために、スクリーンは、コンピュータのカバー３０の切欠き４８を通して、自由にアクセス可能である。
【００１８】
保護ハウジング１０は、図示されていない折り畳み式サポートを備えており、それは、コンピュータ１２の安全な位置決めを可能とする。したがって、例えば、乗客は、前の座席の背もたれに、よく搭載されている、折り畳み式トレイに、コンピュータを置くことができる。
【００１９】
図７及び図８に示された第２実施形態は、図１乃至６の第１実施形態とは次の点が異なっている。すなわち、保護ハウジング１０は、３部品ではなく単に２部品によって形成されており、電線３８用及びプラグコンタクト４０用の第２上部カバー３２を備えており、第２上部カバー３２が、下部シェル２８の不可欠な部分であり、下部シェル２８に一体的に且つ堅固に接続している。その他の点に関しては、第１実施形態におけるように、下部シェル２８は、コンピュータ１２用のホルダー３４を備えており、第１上部カバー３０は、コンピュータ用のホルダーが第１上部カバーによって覆われるように、下部シェル２８上にセットされ、且つ、下部シェル２８に取り付けられるように、構成されている。このため、上部カバー３０は、下部シェル２８上のカバー３０の取り付け状態を維持するために、下部シェル２８上の取り付けラグ４６と係合する取り付けラグ４４を、備えている。下部シェル２８は、閉状態において上部カバー３０をロックするためのロック４９を、備えており、それにより、カバー３０は、閉状態において下部シェル２８から取り外すことができない。
【００２０】
第２実施形態のコンピュータのカバー３０は、また、保護ハウジング１０の閉状態においてタッチスクリーンのようなスクリーンの操作を可能とするように、コンピュータのスクリーン用の切欠き４８を、備えている。更に、下部シェル２８及びコンピュータのカバー３０は、それぞれ、コンピュータのボリュームコントロール用の凹部５０と、コンピュータのオンオフスイッチ用の凹部５２と、コンピュータのヘッドホンコネクタ用の凹部５４と、を備えている。これらの要素は、その配置及び機能において、第１実施形態のそれらに対応している。
【００２１】
同様に、第１実施形態におけるように、下部シェルは、プラグコンタクト４０及び電線３８を、備えている。第１実施形態との差異は、電線３８が、短く、コンピュータのソケット２４用の電気コンタクトソケット５６と共に、下部シェル２８に固定して接続されているが、図１の電線３８及びコンタクトソケット５６は、取り外し可能であり、巻き状態で示されている。
【００２２】
第１実施形態におけるように、コンピュータのカバー３０は、コンピュータ１２の光センサー６０用の開口５８を、備えている。保護ハウジング１０の閉状態において、コンピュータ１２は、開口５８を通してでも、その光センサー６０を用いて十分な光を受けることができ、スクリーン１４の照明を例えば周囲光条件に調節できる。
【図１】
2014525101.tif 000003
【図２】
2014525101.tif 000004
【図３】
2014525101.tif 000005
【図４】
2014525101.tif 000006
【図５】
2014525101.tif 000007
【図６】
2014525101.tif 000008
【図７】
2014525101.tif 000009
【図８】
2014525101.tif 000010
【国際調査報告】
2014525101.tif 000011
2014525101.tif 000012
2014525101.tif 000013
2014525101.tif 000014